(57)【特許請求の範囲】
【請求項１】
表示パネルを駆動する駆動用ＩＣを搭載したフレキシブル配線板に表示パネルの一方の基板の延出した周縁部の片面に配設した電極端子を電気接続すると共に、配線基板が片面に電極端子を有し、外部から受けた信号入力を前記駆動用ＩＣに伝えるために前記配線基板に配設した前記電極端子を前記フレキシブル配線板に電気接続する外部接続を有する表示装置において、
前記フレキシブル配線板は前記表示パネルの一方の基板の延出した周縁部と前記配線基板との間に挟まれ、前記表示パネルの前記電極端子と前記フレキシブル配線板に配設される前記駆動用ＩＣの出力端子との接続部を導電性部材により電気接続すると共に、前記配線基板に配設した前記電極端子と前記フレキシブル配線板に配設される前記駆動用ＩＣの入力端子との接続部を前記周縁部の前記片面と前記フレキシブル配線板を介して重なるように配設し導電性部材により電気接続することを特徴とする外部接続を有する表示装置。
【請求項２】
前記駆動用ＩＣは、前記表示パネル基板の前記周縁部の外側に位置し前記フレキシブル配線板の前記配線基板と反対側の面に搭載されていることを特徴とする請求項１に記載の外部接続を有する表示装置。
【請求項３】
前記フレキシブル配線板が表示パネル及び配線基板の電極端子と重なる接続部にビーム光透過用微小孔を配設したことを特徴とする請求項１または請求項２に記載の外部接続を有する表示装置。
【請求項４】
前記配線基板の接続部の端部に切り欠き部を形成し、この切り欠き部に前記配線基板が有する前記電極端子を配設したことを特徴とする請求項１または請求項２に記載の外部接続を有する表示装置。
【請求項５】
前記配線基板の接続部の端部に接続用切り欠き部を形成し、この接続用切り欠き部を利用して前記周縁部の片面に配置した前記電極端子と前記フレキシブル配線板の前記出力端子とを直接異方性導電性部材で熱圧着することにより電気接続したことを特徴とする請求項１または請求項２に記載の外部接続を有する表示装置。
【発明の詳細な説明】
【０００１】
【発明の属する技術分野】
本発明は、表示パネルの実装構造に係わり、更に詳しくは、液晶、エレクトロルミネッセンス（ＥＬ）、プラズマ等の表示パネルの周縁部に、この表示パネルを駆動するＩＣを搭載したフレキシブル配線板と、外部からの信号入力を受ける配線基板とを実装する表示パネルの実装構造に関するものであり、その外部接続を有する表示装置に関するものである。
【０００２】
【従来の技術】
一般的な液晶パネルの実装構造で、表示パネルの周縁部に、この表示パネルを駆動するＩＣを搭載したフレキシブル配線板と、外部からの信号入力を受ける配線基板とを実装する表示パネルの実装構造について、特許公報第２８０１４８７号にその技術が開示されている。図５及び図６でその概要について説明する。
【０００３】
図５は、液晶パネルの周縁部の断面図、図６は、液晶パネルの周縁部の平面図である。図において、液晶パネル１は、一対の上下ガラス基板２、３の間に液晶５をシール部材４で封止し、一方の下ガラス基板３の延出した周縁部３ａに複数の電極端子６を配設して構成されている。フレキシブル配線板（以下、ＦＰＣと略記する）７は、柔軟性を有する基材面に、駆動用ＩＣ８を搭載している。配線基板９は、片面に電極端子１０を有し、液晶パネル１の外部からこの電極端子１０に受けた信号入力を前記駆動用ＩＣ８に伝える配線を有している。
【０００４】
前記液晶パネル１と配線基板９とは、電極端子６と１０が設けられた面が互いに内側で、且つ、配線基板９の電極端子１０が液晶パネル１の周縁部３ａの外側に位置する状態でＦＰＣ７に重ねて取り付けられている。また、ＦＰＣ７は、液晶パネル１の下ガラス基板３と配線基板９との隙間に設けられ、駆動用ＩＣ８は、液晶パネル１の下ガラス基板３の周縁部３ａの外側に位置する状態で、ＦＰＣ７の配線基板９の反対側の面に搭載されている。
【０００５】
前記液晶パネル１の電極端子６とＦＰＣ７の出力端子１１とを異方導電膜等によって図示しない公知の加熱・加圧接着方法または背面・ビーム式赤外線照射方法等の接続装置を用いて、局部的に加熱及び加圧して接着硬化させる。即ち、配線基板９側を背面とし、加圧ツールを押し当てた状態でマスクのスリットを通して接続すべき箇所に赤外線を照射し接続する。一方、ＦＰＣ７の入力端子１２と配線基板９の電極端子１０とを半田等によって接続して実装を行っている。配線基板９の電極端子１０と反対側の端部を、下ガラス基板３の周縁部３ａに重ねて接着剤や両面テープ等の固定剤１３によって取り付ける。このときＦＰＣ７は下ガラス基板３と配線基板９との間に挟まれた状態となる。
【０００６】
【発明が解決しようとする課題】
しかしながら、前述した表示パネルの実装構造には次のような問題点がある。即ち、液晶パネルの電極端子とＦＰＣの出力端子とは下ガラス基板が延出する周縁部で接続され、一方、配線基板の電極端子とＦＰＣの入力端子とは配線基板の外縁部で接続されている。接続部が２ケ所でそれぞれ位置合わせと接続を行うので接続工数を要する。同時に、ＦＰＣと配線基板の接続位置がＦＰＣの外側のため表示パネルの小型化を妨げると言う問題があった。
【０００７】
本発明は上記した従来の課題に鑑みなされたものであり、その目的は、表示パネルの接続工数を低減すると同時に、パネル外形を極力小型化可能な表示パネルの実装構造を提供するものである。
【０００８】
【課題を解決するための手段】
上記課題を達成するために、本発明は、表示パネルを駆動する駆動用ＩＣを搭載したフレキシブル配線板に表示パネルの一方の基板の延出した周縁部の片面に配設した電極端子を電気接続すると共に、配線基板が片面に電極端子を有し、外部から受けた信号入力を前記駆動用ＩＣに伝えるために前記配線基板に配設した前記電極端子を前記フレキシブル配線板に電気接続する外部接続を有する表示装置において、前記フレキシブル配線板は前記表示パネルの一方の基板の延出した周縁部と前記配線基板との間に挟まれ、前記表示パネルの前記電極端子と前記フレキシブル配線板に配設される前記駆動用ＩＣの出力端子との接続部を導電性部材により電気接続すると共に、前記配線基板に配設した前記電極端子と前記フレキシブル配線板に配設される前記駆動用ＩＣの入力端子との接続部を前記周縁部の前記片面と前記フレキシブル配線板を介して重なるように配設し導電性部材により電気接続することを特徴とする。
【０００９】
また、前記駆動用ＩＣは、前記表示パネル基板の前記周縁部の外側に位置し前記フレキシブル配線板の前記配線基板と反対側の面に搭載されていても良い。
【００１０】
また、前記フレキシブル配線板が表示パネル及び配線基板の電極端子と重なる接続部にビーム光透過用微小孔を配設してもよい。
【００１１】
前記配線基板の接続部の端部に切り欠き部を形成し、この切り欠き部に前記配線基板が有する前記電極端子を配設しても良い。
【００１２】
前記配線基板の接続部の端部に接続用切り欠き部を形成し、この接続用切り欠き部を利用して前記周縁部片面に配置した前記電極端子と前記フレキシブル配線板の前記出力端子とを直接異方性導電性部材で熱圧着することにより電気接続しても良い。
【００１３】
【発明の実施の形態】
以下図面に基づいて本発明における表示パネルの実装構造について説明する。図１は、本発明の第１の実施の形態である表示パネルの実装構造に係わり、図１（ａ）は、液晶パネルの周縁部の平面図、図１（ｂ）は、図１（ａ）のＡ−Ａ線断面図である。図において従来技術と同一部材は同一符号を示す。
【００１４】
図１において、液晶パネル１は、前述した従来技術と同様に一対の上下ガラス基板２、３の間に液晶４をシール部材５で封止し、一方の下ガラス基板３の延出した周縁部３ａに複数の電極端子６を配設して構成されている。駆動用ＩＣ８は下ガラス基板３の周縁部３ａの外側に位置し、柔軟性の有するＦＰＣ７の配線基板９の反対側の面に搭載されている。液晶パネル１の下ガラス基板３の周縁部３ａに電極端子６とＩＣ出力端子１１とを接続する接続部Ａを有し、一方、ＩＣ入力端子１２と配線基板９の電極端子１０とを接続する接続部Ｂを有し、前記両接続部Ａ、Ｂは共に下ガラス基板３の周縁部３ａに配設されており、従来と同様に導電性部材として後述する図２（ａ）に示す異方性導電材１４等を使用し、公知の背面加圧・ビーム式赤外線照射方法等の接続装置を用いて、局部的に加熱及び加圧して１回の接続工程で電気接続する。上記した赤外線照射方法の代わりに紫外線照射方法等の他の接続手段を用いても良い。
【００１５】
ここで上記した接続部について説明する。図２（ａ）は液晶パネル周縁部の断面図、図２（ｂ）は図２（ａ）の点線で囲むＣ部を拡大したＦＰＣの接続部の部分拡大断面図、図２（ｃ）は図２（ｂ）の部分平面図である。図２に示すように、前記ＦＰＣ７が表示パネル１の下ガラス基板３の周縁部３ａ及び配線基板９の電極端子と重なる前記接続部Ｂにビーム光透過用微小孔７ａを複数個配設し、赤外線照射接続装置から照射されるビーム光の透過効果を高めて、ＦＰＣ７の上下の異方性導電材１４を局部的に加熱及び加圧して１回の接続工程で接着・固定するものである。
【００１６】
上記したように、ＩＣ入力端子１２と配線基板９の電極端子１０とを接続する接続部Ｂの位置が、下ガラス基板３の周縁部３ａ内に入り、従来のように下ガラス基板３の周縁部３ａの外側で、且つ、ＦＰＣ７の外縁部でないので、その分だけＦＰＣ７及び配線基板９の面積を小さくすることができる。
【００１７】
実装を行う場合は、液晶パネル１の電極端子６側の面内の複数箇所に異方性導電材１４を貼付し、液晶パネル１とＦＰＣ７の位置合わせを行う。次に、液晶パネル１と予めスペーサが設けられた配線基板９とを、各電極端子６、１０が設けられた面が互いに内側で、且つ、配線基板９の上記電極端子１０が液晶パネル１の下ガラス基板３の周縁部３ａの内側に位置する状態で積層されるようにＦＰＣ７と配線基板９とを位置合わせする。上記した液晶パネル１とＦＰＣ７と配線基板９とを位置合わせした状態で治具等で仮固定した後、従来技術と同様に背面加熱・ビーム式赤外線方式の接着装置を用いて局部的に加熱及び加圧して接着・固定する。このとき、駆動用ＩＣ８は、ＦＰＣ７の配線基板９と反対側に位置させる。次に、配線基板９の電極端子１０と反対側の端部を、ＦＰＣ７に重ねて接着剤や両面テープ等の固定剤１３によって取り付ける。
【００１８】
上記構成により、図１（ａ）、（ｂ）に示すように、ＩＣ出力端子１１と下ガラス基板３の電極端子６との接続部Ａと、ＩＣ入力端子１２と配線基板９の電極端子１０との接続部Ｂとが、液晶パネル１の下ガラス基板３の延出した周縁部３ａの近傍に配設され、１回の接着工程で接着・固定することがてきる。同時に接続部Ｂが下ガラス基板３の周縁部３ａ内に位置するので、その分だけＦＰＣ７及び配線基板９の面積を小さくすることが可能である。
【００１９】
図３は、本発明の第２の実施の形態である表示パネルの実装構造に係わり、図３（ａ）は、液晶パネルの周縁部の平面図、図３（ｂ）は、図３（ａ）のＢ−Ｂ線断面図である。図３において、前述した第１の実施の形態と異なる所は、前記配線基板９の接続部の端部に複数のスルーホール電極９ａ（配線電極の端部の切り欠き部に設けられた電極）を形成した点である。ここで、ＦＰＣ７を介して液晶パネル１及び配線基板９との接続について説明する。先ず、液晶パネル１の下ガラス基板３の周縁部３ａとＦＰＣ７とを複数箇所に異方性導電材１４を貼付し位置合わせを行い熱圧着方式（例えば、２２０〜２６０°Ｃ程度）で接続する。更に、ＦＰＣ７と配線基板９とを配線基板９に形成された前記複数のスルーホール電極９ａとを低融点の半田１５にて半田付け（例えば、１８０°Ｃ程度）することにより電気接続を行う。
【００２０】
上記構成により、前述した第１の実施の形態と同様に、ＩＣ出力端子１１と下ガラス基板３の電極端子６との接続部Ａと、ＩＣ入力端子１２と配線基板９の電極端子１０との接続部Ｂとが、液晶パネル１の下ガラス基板３の延出した周縁部３ａの近傍に配設され、それぞれの接着工程で接着・固定することがてきる。同時に接続部Ｂが下ガラス基板３の周縁部３ａ内に位置するので、その分だけＦＰＣ７及び配線基板９の面積を小さくすることが可能である。
【００２１】
図４は、本発明の第３の実施の形態である表示パネルの実装構造に係わる液晶パネルの周縁部の平面図である。図４において、前述した第１及び第２の実施の形態と異なる所は、前記配線基板９の接続部の端部に接着用切り欠き部９ｂを形成した点である。ここで、ＦＰＣ７を介して液晶パネル１及び配線基板９との接続について説明する。先ず、配線基板９の電極端子とＦＰＣ７とを半田１５にて半田付けする。次に、液晶パネル１の下ガラス基板３の周縁部３ａとＦＰＣ７とを位置合わせし、配線基板９に形成された前記接着用切り欠き部９ｂを利用して両者を直接異方性導電材１４により熱圧着方式により電気接続する。
【００２２】
上記構成により、前述した第１及び第２の実施の形態と同様に、ＦＰＣ７と液晶パネル１及び配線基板９とのそれぞれの接続部が、液晶パネル１の下ガラス基板３の延出した周縁部３ａの近傍に配設され、それぞれの接着工程で接着・固定することがてきるので、その分だけＦＰＣ７及び配線基板９の面積を小さくすることが可能である。
【００２３】
【発明の効果】
以上説明したことから明らかのように、本発明によれば、ＩＣ出力と表示パネルの電極端子との接続部と、ＩＣ入力と配線基板の電極端子との接続部が表示パネル基板内に配設することにより、その分パネルが小型化できると同時に、請求項２の構成により、接着工程が１回で済むので接着工数を低減する表示パネルの実装構造を提供することが可能である。
【図面の簡単な説明】
【図１】本発明の実施の形態である表示パネルの実装構造に係わり、図１（ａ）は、液晶パネルの周縁部の平面図、図１（ｂ）は、図１（ａ）のＡ−Ａ線断面図である。
【図２】図２（ａ）は液晶パネル周縁部の断面図、図２（ｂ）は図２（ａ）の点線で囲むＣ部を拡大したＦＰＣの接続部の部分拡大断面図、図２（ｃ）は図２（ｂ）の部分平面図である。
【図３】本発明の第２の実施の形態である表示パネルの実装構造に係わり、図３（ａ）は、液晶パネルの周縁部の平面図、図３（ｂ）は、図３（ａ）のＢ−Ｂ線断面図である。
【図４】本発明の第３の実施の形態である表示パネルの実装構造に係わる液晶パネルの周縁部の平面図である。
【図５】従来技術の液晶パネルの周縁部の断面図である。
【図６】図５の液晶パネルの周縁部の平面図である。
【符号の説明】
１    液晶パネル
２    上ガラス基板
３    下ガラス基板
３ａ  周縁部
６    電極端子（パネル）
７    フレキシブル配線板（ＦＰＣ）
７ａ  ビーム光透過用微小孔
８    駆動用ＩＣ
９    配線基板
９ａ  スルーホール電極
９ｂ  接着用切り欠き部
１０  電極端子（ＦＰＣ）
１１  出力端子
１２  入力端子
１４  異方性導電材
１５  半田
Ａ    ＩＣ出力と表示パネルの電極端子との接続部
Ｂ    ＩＣ入力と配線基板の電極端子との接続部
【図１】
0004695235.tif 000002
【図２】
0004695235.tif 000003
【図３】
0004695235.tif 000004
【図４】
0004695235.tif 000005
【図５】
0004695235.tif 000006
【図６】
0004695235.tif 000007